(57)【要約】【課題】送風機の防振、防音性能を向上させる洗濯乾燥機を提供すること。【解決手段】水槽５２および回転ドラム５３内に乾燥用空気を送風し、羽根車１と、羽根車を内包するケーシング２と、羽根車１を回転させる駆動用ファンモータ３で構成される送風機６２と、モータ５４や送風機６２等を制御して一連の行程を逐次制御する制御手段７４とを備え、送風機６２は、駆動用ファンモータ３の駆動軸７をケーシング２中央部に形成したケーシング孔２ａに遊嵌させて、駆動用ファンモータ３とケーシング２を固定し、ケーシング２と駆動用ファンモータ３との中央部に形成された隙間に中央シール部材４を設け、中央シール部材４は、ケーシング２と駆動用ファンモータ３の半径方向で挟持されるように構成したことにより、防振、防音性能を向上させることができる。【選択図】図２
2012085837.tif 000002
【特許請求の範囲】
【請求項１】
有底円筒形に形成された回転ドラムと、前記回転ドラムを回転可能に内包する水槽と、前記回転ドラムを回転駆動するモータと、前記水槽および前記回転ドラム内に乾燥用空気を送風し、羽根車と、前記羽根車を内包するケーシングと、前記羽根車を回転させる駆動用ファンモータとで構成される送風機と、前記モータや前記送風機等を制御して洗い、すすぎ、脱水、乾燥の一連の行程を逐次制御する制御手段とを備え、前記送風機は、前記駆動用ファンモータの駆動軸を前記ケーシング中央部に形成したケーシング孔に遊嵌させて、前記駆動用ファンモータと前記ケーシングを固定し、前記ケーシングと前記駆動用ファンモータとの中央部に形成された隙間に中央シール部材を設け、前記中央シール部材は、前記ケーシングと前記駆動用ファンモータの径方向で挟持されるようにした洗濯乾燥機。
【請求項２】
中央シール部材は、ゴム材を主成分とした独立気泡型の発泡体とした請求項１記載の洗濯乾燥機。
【請求項３】
中央シール部材は、ケーシングの内周部に形成された段差部に、軸方向に接触するように装着された請求項１または２に記載の洗濯乾燥機。
【発明の詳細な説明】
【技術分野】
【０００１】
本発明は、乾燥運転における送風機の騒音低減を実現する洗濯乾燥機に関するものである。
【背景技術】
【０００２】
従来、この種の洗濯乾燥機では、羽根車とそれを内包するケーシングと羽根車を回転させる駆動用モータで構成される送風機の、振動による騒音を低減させる構成が提案されてきた（例えば特許文献１参照）。
【０００３】
図４は特許文献１に記載された従来の洗濯乾燥機の送風機の概略断面図を示すものである。
【０００４】
図４において、羽根車１０１を内置するファンケース１０２と羽根車１０１を回す駆動用モータ１０３で構成され、ファンケース１０２の中央部位と駆動用モータ１０３の中央部位との間に介在する風漏れを防止するシール機能を有する中央防振ゴム１０４と、ファンケース１０２の外周側部位と駆動用モータ１０３の外周側部位との間に伝達を軽減する機能を要する外周防振ゴム１０５を備えている。また、中央防振ゴム１０４のゴム硬度を高く（３０〜５０度程度）することで、支持を安定させると共にケーシング１０２の気密性を保ち、外周防振ゴム１０５の硬度を低く（１０〜３０度程度）することで、駆動用モータ１０３からケーシング１０２への振動伝達をより軽減させるような構成となっている。
【先行技術文献】
【特許文献】
【０００５】
【特許文献１】特開２００９−７７７８２号公報
【発明の概要】
【発明が解決しようとする課題】
【０００６】
しかしながら、前記従来の構成では、支持の安定性および機密性を保つために中央防振ゴムの硬度を高くしているため、その部位からの振動伝達が大きくなってしまい、それにより騒音低減効果が不十分であるという課題があった。また、それを解消するためには、中央防振ゴムの柔軟性を向上させるような形状の工夫を行なったり、さらに外周防振ゴムに、低硬度にするための高価なシリコンゴム等を使用したりする必要があり、コストが高くなってしまうという課題があった。
【０００７】
本発明は、前記従来の課題を解決するもので、低コストで、ケーシングの機密性を保ち、防振、防音性能を向上させた洗濯乾燥機の送風機を提供することを目的とする。
【課題を解決するための手段】
【０００８】
前記従来の課題を解決するために、本発明の洗濯乾燥機は、回転ドラムと、回転ドラムを内部に配設する水槽と、回転ドラムを回転駆動するモータと、水槽および回転ドラム内に乾燥用空気を送風し、羽根車と、羽根車を内包するケーシングと、羽根車を回転させる駆動用ファンモータで構成される送風機と、モータや送風機等を制御して洗い、すすぎ、脱水、乾燥の一連の行程を逐次制御する制御手段とを備え、送風機は、駆動用ファンモータの駆動軸をケーシング中央部に形成したケーシング孔に遊嵌させて、駆動用ファンモータとケーシングを固定し、ケーシングと駆動用ファンモータとの中央部に形成された隙間に中央シール部材を設け、中央シール部材は、ケーシングと駆動用ファンモータの半径方向で挟持されるように構成したものである。これにより、複雑な構成にすることなく、軸方向の振動伝達を低減することができ、ケーシングの気密性を保ちつつ、駆動時に比較的大きくなりやすく、振動音として、騒音増大に影響しやすい軸方向の振動と、騒音を低減することができる。
【発明の効果】
【０００９】
本発明の洗濯乾燥機は、低コストで、送風機の気密性を維持し、防振、防音性能を向上させるものである。
【図面の簡単な説明】
【００１０】
【図１】本発明の第１の実施の形態における洗濯乾燥機の縦断面図
【図２】同洗濯乾燥機の送風機の概略断面図
【図３】本発明の第２の実施の形態における洗濯乾燥機の送風機の概略断面図
【図４】従来の洗濯乾燥機の送風機の概略断面図
【発明を実施するための形態】
【００１１】
第１の発明は、有底円筒形に形成された回転ドラムと、前記回転ドラムを、開口する正面側から底部となる背面側に向けて回転軸方向が水平または水平方向から下向き傾斜となるようにして内部に配設する水槽と、前記回転ドラムを回転駆動するモータと、前記水槽および前記回転ドラム内に乾燥用空気を送風し、羽根車と、前記羽根車を内包するケーシングと、前記羽根車を回転させる駆動用ファンモータで構成される送風機と、前記モータや前記送風機等を制御して洗い、すすぎ、脱水、乾燥の一連の行程を逐次制御する制御手段とを備え、前記送風機は、前記駆動用ファンモータの駆動軸を前記ケーシング中央部に形成したケーシング孔に遊嵌させて、前記駆動用ファンモータと前記ケーシングを固定し、前記ケーシングと前記駆動用ファンモータとの中央部に形成された隙間に中央シール部材を設け、前記中央シール部材は、前記ケーシングと前記駆動用ファンモータの半径方向で挟持されるように構成したことにより、複雑な構成にすることなく、軸方向の振動伝達を低減することができ、ケーシングの気密性を保ちつつ、駆動時に比較的大きくなりやすく、振動音として、騒音増大に影響しやすい軸方向の振動を低減し、騒音を低減することができる。
【００１２】
第２の発明は、特に第１の発明において、中央シール部材は、ゴム材を主成分とした独立気泡型の発泡体としたことにより、ケーシングの気密性を維持しながらも、ＥＰＤＭやシリコンゴムなどから成る防振ゴムに比べて非常に柔軟であるため、駆動用ファンモータからの振動伝達をより軽減することができる。
【００１３】
第３の発明は、特に、第１および第２の発明において、中央シール部材は、ケーシングの内周部に形成された段差部に、軸方向に接触するように装着したことにより、中央シール部材をより安定して保持することができ、かつ、シール部材は、ケーシングのみ軸方向に接触しているだけなので、軸方向に圧縮されることがなく、シール部材を通して、軸方向へ振動伝達することはほとんどないため、防振性能を維持しつつ、より安定してシール部材を保持することができる。
【００１４】
以下、本発明の実施の形態について、図面を参照しながら説明する。なお、従来例と同じ構成のものは同一符号を付して説明を省略する。また、この実施の形態によって本発明が限定されるものではない。
【００１５】
（実施の形態１）
図１は、本発明の第１の実施の形態における洗濯乾燥機の縦断面図である。
【００１６】
図１において、洗濯機本体５１の内部に揺動自在に水槽５２が配設され、水槽５２内には、回転ドラム５３が回転自在に配設され、回転ドラム５３は、水槽５２の背面に外側より取り付けられたモータ５４により回転駆動される。
【００１７】
また、本発明の洗濯乾燥機は、モード設定や制御プログラムに従い、図１に示すモータ５４、給水系５５、排水系５６、乾燥系５７などを自動制御して、少なくとも洗い行程、すすぎ行程、脱水行程、乾燥行程を行う機能を有したいわゆる洗濯乾燥機を構成している。
【００１８】
給水系５５は、給水弁（図示せず）の開閉によって、給水経路７５を介して、実線矢印ａで示すように水槽５２内部に適時に給水でき、また給水を利用して洗剤収容部５８に使用者が予め投入しておいた洗剤を、水道水と共に水槽５２内に適時に投入できるようになっている。
【００１９】
排水系５６は、排水弁５９の開閉によって洗い行程終了時、すすぎ行程終了時など必要なときに一点鎖線矢印ｂで示すように、水槽５２の下部に形成された排水口７１に接続された排水管６０を介し、フィルターケース６７に内設され、糸屑類を捕集し外部から取り外し可能の排水フィルタ６１を通過した後、接続ホース７２、排水弁５９を経由して、機外に排水できるようになっている。なお、水槽５２の側壁内方下部には、排水口７１に排水されやすいように、排水溝７６が形成されている。
【００２０】
回転ドラム５３は、略水平方向または水平方向から下向きに傾斜となるように配した回転軸６３により水槽５２の外底部に固着したモータ５４に直結され、回転駆動する事により、前方の開閉扉６４部より回転ドラム５３に投入された衣類の撹拌たたき洗いを行う。なお、開閉扉６４は、水槽５２の開口縁６５に装着したシール材６６を介して密閉し、また開くことができるようにしている。
【００２１】
乾燥系５７は、水槽５２および回転ドラム５３内の空気を、駆動用ファンモータ３を有する送風機６２によって、図１の破線矢印ｃで示すように循環させる。乾燥系５７内には、糸屑類を捕集し除塵するフィルタ（図示せず）、除塵後の導入空気を除湿する除湿部（図示せず）、除湿後の空気を加熱して渇いた高温空気とする加熱部（図示せず）等を有する。
【００２２】
運転コース等のモードや各種機能の選択は、洗濯機本体５１の前面上部に設けられる操作パネル７３から入力して行い、制御手段７４がその入力情報を基に操作パネル７３上の表示手段（図示せず）で表示して使用者に知らせるとともに、操作パネル７３での入力設定手段（図示せず）により運転開始が設定されると、水槽５２内の水位を検知する水位検知手段（図示せず）等からのデータを入力して、モータ５４、排水弁５９、給水弁（図示せず）、駆動用ファンモータ３などの動作を制御し、洗い、すすぎ、脱水、乾燥行程などの運転を行う。
【００２３】
図２は、本発明の第１の実施の形態における洗濯乾燥機の送風機の概略断面図である。
【００２４】
図２において、羽根車１は、ケーシング２に内包され、駆動用ファンモータ３は、駆動軸７をケーシング２中央部に設けたケーシング孔２ａに遊嵌させ、駆動軸７に羽根車１を取り付け、ケーシング２と駆動用ファンモータ３が直接接触することがないように、外周部を複数の防振体５を介して、ケーシング２に複数のビス６により固定している。
【００２５】
また、駆動用ファンモータ３が駆動し、羽根車１が回転すると、外部の風が、二点鎖線矢印Ａのようにケーシング孔２ａからも吸い込まれるように流れようとするため、それを防止するために、ケーシング２と駆動用ファンモータ３の半径方向において、圧縮代４ａを持って挟持される中央シール部材４を設け、風の漏れを防いでいる。本発明では、中央シール部材４として、例えば、ＥＰＤＭなどのゴム材を主成分とし、独立気泡型に３〜３０倍に発泡させたシール性と柔軟性を備えた材料を使用している。
【００２６】
以上のような構成において、送風時に駆動用ファンモータ３が駆動すると、羽根車１や駆動用ファンモータ３のアンバランスによる半径方向の振動と同時に、羽根車１の取付面での面ぶれ等により、軸方向の振動が発生する。
【００２７】
羽根車１の取付面での面ぶれが影響する、図２での実線矢印Ｂで表す軸方向の振動、つまり、取付面を中心とした回転するような振動の低減に対しては、取付面での平面度をさらに精度向上させるなどの必要があるが、コストも大きくなりやすい。しかし、この軸方向の振動が、送風機駆動時に振動音として、騒音を増大させる大きな要因となりやすいため、この軸方向の振動を低減させることは、送風機全体の振動、騒音低減に非常に重要である。
【００２８】
軸方向の振動については、羽根車１の振動が、駆動用ファンモータ３の駆動軸７を介して、駆動用ファンモータ３に伝わり、駆動用ファンモータ３自身の振動と合わさって、防振体５を介した外周取付部および、中央部の中央シール部材４を介して、ケーシング２に伝わることによってケーシング２が振動し、それが振動音となって騒音が発生しようとする。
【００２９】
しかし、本発明の第１の実施の形態における中央シール部材４は、風漏れを防止する機能だけでなく、前述のように、ＥＰＤＭなどのゴム材を主成分とし、独立気泡型に３〜３０倍に発泡させた材料としており、さらに中央シール部材４は、ケーシング２と駆動用ファンモータ３の半径方向で圧縮挟持するように設けたことによって、送風機駆動時に大きくなりやすい軸方向の振動が、シール部材４を介して、ケーシング２に伝達する度合いを小さくすることができ、ケーシング２の振動からくる送風機の振動、騒音を、低コストで効果的に低減することができる。
【００３０】
（実施の形態２）
図３は、本発明の第２の実施の形態における洗濯乾燥機の送風機の概略断面図である。
【００３１】
第１の実施の形態の送風機と共通の部分については、同一符号を付して説明を省略する。
【００３２】
ケーシング２と駆動用ファンモータ３の半径方向において、圧縮代（図示せず）を持って挟持される中央シール部材１４が設けてある。
【００３３】
中央シール部材１４は、ＥＰＤＭなどのゴム材を主成分とし、独立気泡型に３〜３０倍に発泡させたシール性と柔軟性を備えた材料となっている。そして、ケーシング２の内周部には、軸方向に段差部１５を設け、その段差部１５に、中央シール部材１４の外周部位の一部が、ケーシング２の軸方向でも接触するように構成してある。
【００３４】
以上の構成によって、シール部材１４の設置の際の、上下方向のずれを抑えることが可能となり、正しく装着することができ、それにより、低コストで送風機の振動、騒音を低減することができる。なお、段差部１５は実施の形態１において用いても効果がえられる。
【００３５】
なお、本実施の形態では洗濯乾燥機について示したが、振動が問題となる、洗濯機能の無い乾燥機であってもよい。
【産業上の利用可能性】
【００３６】
以上のように、本発明にかかる洗濯乾燥機は、中央シール部材により低コストで防振、防音性能を向上させることが可能となるので、送風手段を有する他の機器、例えば乾燥装置などの用途に適用できる。
【符号の説明】
【００３７】
１    羽根車
２    ケーシング
２ａ  ケーシング孔
３    駆動用ファンモータ
４    中央シール部材
７    駆動軸
５２  水槽
５３  回転ドラム
５４  モータ
６２  送風機
７４  制御手段
【図１】
2012085837.tif 000003
【図２】
2012085837.tif 000004
【図３】
2012085837.tif 000005
【図４】
2012085837.tif 000006